(57)【要約】【課題】  ユーザを待たすことなく常に再生媒体１枚分の新規低圧縮録音を行える操作性の優れたデジタル記録再生装置を得る。【解決手段】  再生媒体１からのデータを高圧縮率で記録媒体３に記録すると共に、高音質録音の為にデータを低圧縮率で記録する記録手段と、記録媒体３の記録可能領域の残り容量が常に再生媒体１枚分の容量を開けて記録媒体３へのデータの書き込み消去を制御する制御手段とを備え、記録媒体３の記録可能領域の残り容量が再生媒体１枚分の容量と再生媒体１枚分を高圧縮率で録音し必要な容量をあわせた容量以下になった場合、所望の優先順位で再生媒体約１枚分以上の低圧縮記録データをリストアップし、記録媒体３の残りの領域に高圧縮率で再記録させ、更に低圧縮記録の所望時に、先の圧縮済みデータリストのユーザ承認後、低圧縮データのみを消去して新たな低圧縮録音領域を確保する。【選択図】        図１
2006196118.tif 000002
【特許請求の範囲】
【請求項１】
再生媒体から再生したデータを高圧縮率または低圧縮率で記録媒体に記録する記録手段と、
この記録手段に対し、上記記録媒体の記録可能領域の残り容量を少なくとも所定容量分確保するよう上記記録媒体へのデータの書き込み消去を制御する制御手段と
を備えたデジタル記録再生装置。
【請求項２】
制御手段は、記録媒体の記録可能領域の残り容量が、所定容量分とこの所定容量分のデータを高圧縮率で記録した際に必要となる容量とをあわせた容量以下になった場合、上記記録媒体に記録されている低圧縮率記録データを上記記録媒体の残りの領域に高圧縮率で再記録するとともに、この再記録した後に当該低圧縮率記録データを消去することを特徴とする請求項１記載のデジタル記録再生装置。
【請求項３】
制御手段は、記録媒体の記録可能領域の残りの容量が、所定容量分とこの所定容量分のデータを高圧縮率で記録した際に必要となる容量とをあわせた容量以下になった場合、所望の優先順位で上記記録媒体に記録されている低圧縮率記録データをリストアップし、上記記録媒体の残りの領域に高圧縮率で再記録するとともに、この再記録後に当該低圧縮率記録データを消去することを特徴とする請求項１記載のデジタル記録再生装置。
【請求項４】
再生媒体から再生したデータを高圧縮率で記録媒体に記録すると共に、高音質録音の為にデータを低圧縮率で上記記録媒体に記録する記録手段と、
上記記録媒体の記録可能領域の残り容量が常に上記再生媒体１枚分の容量を開けておくように上記記録媒体へのデータの書き込み消去を制御する制御手段と
を備えたことを特徴とするデジタル記録再生装置。
【請求項５】
制御手段は、記録媒体の記録可能領域の残り容量が再生媒体１枚分の容量と該再生媒体１枚分を高圧縮率で録音したときに必要な容量をあわせた容量以下になった場合、所望の優先順位で上記再生媒体約１枚分以上の低圧縮記録データをリストアップし、上記記録媒体の残りの領域に高圧縮率で再記録させ、更に低圧縮記録の所望時、先の圧縮済みデータリストのユーザ承認後、低圧縮データのみを消去して新たな低圧縮録音領域を確保することを特徴とする請求項４記載のデジタル記録再生装置。
【請求項６】
制御手段は、再生媒体から読み取ったデータを圧縮演算処理し、記録媒体から読み出したデータをデコード処理するデジタル信号処理装置と、上記記録媒体にデータを書き込みまたはそのデータを消去する際に、ファイル名やアドレスなどの管理ファイルデータベースを作成する記録媒体ファイル管理データ作成手段と、該記録媒体ファイル管理データ作成手段で作成されたファイルデータベースおよび各種設定情報を記憶するメモリ手段と、上記デジタル信号処理装置、上記記録媒体ファイル管理データ作成手段および上記メモリ手段に動作指示を発生するマイクロコンピュータとを備えることを特徴とする請求項１から請求項５のうちのうちのいずれか１項記載のデジタル記録再生装置。
【請求項７】
記録手段は、マイクロコンピュータからの動作指示に基づいて、デジタル信号処理装置からのデータを記録媒体に書き込みまたは該記録媒体に記録されているデータを消去するデータ書き込み／消去手段と、上記記録媒体からデータを読み出して上記デジタル信号処理装置へ出力する記録媒体読出し手段とを備えることを特徴とする請求項６記載のデジタル記録再生装置。
【請求項８】
デジタル信号処理装置は、再生媒体からのデータが選択的に入力されるロスレス圧縮演算処理部とＭＰ３圧縮演算処理部を有し、それぞれ圧縮演算処理した出力を圧縮済みデータとしてデータ書き込み／消去手段へ送出することを特徴とする請求項７記載のデジタル記録再生装置。
【請求項９】
デジタル信号処理装置は、マイクロコンピュータからの動作指示に基づいて、記録媒体からの圧縮データが選択的に入力されるロスレスデコード演算処理部とＭＰ３デコード演算処理部を有し、それぞれデコードされた出力を解凍済みデータとして外部のデジタル／アナログ変換器へ送出することを特徴とする請求項７記載のデジタル記録再生装置。
【請求項１０】
マイクロコンピュータは、デジタル信号処理装置に、ロスレスデコード演算処理部からの解凍済みデータをＭＰ３圧縮演算処理部で演算処理し圧縮済みデータとしてデータ書き込み／消去手段へ送出させる自動圧縮機能を有することを特徴とする請求項８記載のデジタル記録再生装置。
【請求項１１】
マイクロコンピュータは、新たに低圧縮記録領域への記録の所望時、所定の記録媒体ファイル管理リストをメモリ手段から呼び出し、圧縮済みフラグがついている低圧縮データを消去候補として表示手段に表示させ、低圧縮データ消去候補リストに対するユーザ承認を確認し、その承認が得られれば、リスト上の低圧縮データを記録媒体上から消去し、上記記録媒体フアイル管理リストを更新して新たな記録媒体フアイル管理リストを取得し、上記記録媒体の新たに確保された領域に新規の低圧縮データを記録手段に記録開始させることを特徴とする請求項６から請求項１０のうちのいずれか１項記載のデジタル記録再生装置。
【発明の詳細な説明】
【技術分野】
【０００１】
この発明は、デジタル情報を記録再生するデジタル記録再生装置に関し、特に、再生媒体から再生した音楽情報を記録媒体に記録するデジタル記録再生装置に関するものである。
【背景技術】
【０００２】
従来、例えば、ＣＤで再生した音楽をＨＤＤに記録する構成のデジタル記録再生装置において、高音質のための低圧縮録音を実施した際、データが大きいため、すぐに記録容量が一杯になってしまう問題があった。そういった時に音楽データを残しつつ容量を確保するために、低圧縮データをユーザの希望する優先順位で高圧縮率で圧縮する方法が考えられる（例えば、特許文献１参照）。
【０００３】
【特許文献１】特開２００３−７７２１５号公報
【発明の開示】
【発明が解決しようとする課題】
【０００４】
しかしながら、上述のような従来装置の場合は、ユーザが新規録音を希望してから再圧縮処理を行っていたのでは、その処理が終わり領域を確保できるまでユーザは新規に録音ができない等の問題点があった。
【０００５】
この発明は、前記のような課題を解決するためになされたもので、ユーザを待たすことなく常に再生媒体１枚分の新規低圧縮録音を行える操作性の優れたデジタル記録再生装置を得ることを目的とする。
【課題を解決するための手段】
【０００６】
この発明に係るデジタル記録再生装置は、再生媒体から再生したデータを高圧縮率または低圧縮率で記録媒体に記録する記録手段と、この記録手段に対して上記記録媒体の記録可能領域の残り容量を少なくとも所定容量分確保するように上記記録媒体へのデータの書き込み消去を制御する制御手段とを備えたものである。
【発明の効果】
【０００７】
この発明は、ユーザを待たすことなく常に所定容量分の新規低圧縮録音を行うことができ、音楽情報等を記録媒体へ記録する際の操作時間の短縮化が図れるという効果がある。
【発明を実施するための最良の形態】
【０００８】
以下、この発明の実施の一形態を、図１〜図１３を参照して説明する。
実施の形態１．
図１は、この発明の実施の形態１によるデジタル記録再生装置の全体の構成を示すブロック図である。
図１において、音楽情報等のデータが記録されている再生媒体１が設けられ、ここではＣＤの再生を行うものとする。また、ＣＤ１（＝再生媒体１）のＴＯＣ（Ｔａｂｌｅ  ｏｆ  Ｃｏｎｔｅｎｔｓ）エリアに記録されているＣＤ１の総再生時間や各曲のアドレス情報などのＴＯＣ情報、およびＣＤ１のプログラムエリアに記録されている音楽情報を読み出す再生媒体読み出し手段２と、音楽情報等のデータを記録する記録媒体３が設けられ、この記録媒体３には、ここではＨＤＤ３（＝記録媒体３）に記録を行うものとする。
【０００９】
また、ＨＤＤ３にデータを書き込んだり、消去したりするデータ書き込み／消去手段４と、記録されている音楽情報等のデータを読み出す記録媒体読み出し手段５と、ＣＤ１から読み取ったデータを圧縮演算処理したり、ＨＤＤ３から読み出したデータをデコード処理するデジタル信号処理装置６と、ＨＤＤ３にデータを書き込んだり、消去したりする際、ファイル名やアドレスなどの管理ファイルデータベースを作成するＨＤＤファイル管理データ作成手段７と、ＨＤＤファイル管理データ作成手段７が作成したファイルデータベースや、各種設定を記憶するメモリ手段８と、再生媒体読み出し手段２、データ書き込み／消去手段４、記録媒体読み出し手段５、デジタル信号処理装置６、ＨＤＤファイル管理データ作成手段７、メモリ手段８および表示手段１１に動作指示を発生するマイクロコンピュータ（以下、単にマイコンと称する）９と、マイコン９に対してキー入力手段１０が設けられ、このキー入力手段１０は図示せずも操作用ボタン、リモコンユニット等から構成され、マイコン９に動作を指示する指示情報を入力するためものである。
【００１０】
表示手段１１は例えばＬＣＤパネル等から構成され、マイコン９の指示に従って、圧縮候補リスト等の表示をするためのものである。また、デジタル信号処理装置６に接続され、信号処理された音楽デジタルデータをアナログ信号に変換するデジタル／アナログ変換器１２と、このデジタル／アナログ変換器１２で変換されたアナログ信号を増幅するアナログ増幅器１３と、アナログ増幅器１３からの音声情報を外部に放音するスピーカ１４が設けられる。
【００１１】
次に、動作について説明する。
まず、ＣＤ１からＨＤＤ３への録音動作について説明する。
ユーザは録音するにあたって、あらかじめ録音方式を選択しておく。図２はこのときの録音圧縮方式の設定処理のフローチャートを示すもので、ユーザは、録音圧縮方式を設定する画面を呼び出し（ステップＳＴ１）、希望する録音圧縮方式の入力を行い（ステップＳＴ２）、その圧縮方式を決定する（ステップＳＴ３）。
【００１２】
本実施の形態では、高音質のための低圧縮方式として、ロスレス方式（可逆圧縮：元データに対して平均約６０％）が用意され、高圧縮方式としてはＭＰ３（非可逆圧縮：元データに対して平均約１０％）が選択できるものとする。録音するために、ＣＤ１が挿入されると、マイコン９から指示を受けた再生媒体読み出し手段２は光学的、電気的手段をもって記録されている音楽データを読み出し、デジタル信号処理装置６に伝送する。デジタル信号処理装置６は伝送されてきた音楽データに対して、ユーザが選択した圧縮方式で演算処理する。
【００１３】
図３はこのときのデータ圧縮演算の機能ブロック図を示すもので、図３において、デジタル信号処理装置６は、ＣＤ１からのＣＤ音楽データＤ１が選択的に入力されるロスレス圧縮演算処理部６１とＭＰ３圧縮演算処理部６２を有し、これらのロスレス圧縮演算処理部６１、ＭＰ３圧縮演算処理部６２で演算処理した出力を圧縮済みデータＤ２としてデータ書き込み／消去手段４へ送出する。
【００１４】
デジタル信号処理装置６が上述の如く演算処理によって圧縮されたデータ（圧縮済みデータＤ２）をデータ書き込み／消去手段４に伝送すると、データ書き込み／消去手段４は、ＨＤＤファイル管理データ作成手段７によって作成された図４に示すようなファイルデータベース（ファイル管理リストＡ）に従ってＨＤＤ３の領域に磁気的に圧縮データを書き込む。このとき同時にファイルデータベース（ファイル管理リストＡ）をメモリ手段８に記憶する。また、ＨＤＤファイル管理データ作成手段７は録音が行われるたびにファイルデータベース（ファイル管理リストＡ）から総記録容量と記録可能領域の残り容量を計算し、ＨＤＤ３の記録可能領域の残り容量を少なくとも所定容量分、例えばＣＤ１枚分即ち再生媒体１枚分の容量（約７４７ＭＢ）と再生媒体１枚分を高圧縮率で録音したときに必要な容量をあわせた容量以下になった場合、マイコン９に自動圧縮開始フラグを送信する。
【００１５】
図５はこのときのＨＤＤ３に対するデータ書き込み、ファイル管理の機能ブロック図を示すもので、図５において、デジタル信号処理装置６からの圧縮済みデータＤ２はデータ書き込み／消去手段４へデータ伝送されてＨＤＤ３にデータ書き込みがなされる。また、デジタル信号処理装置６からの圧縮済みデータＤ２はファイル形式、ファイルサイズ等のファイル情報としてＨＤＤファイル管理データ作成手段７に供給され、ここで、ファイル形式、ファイルサイズ等のファイル管理データを作成してこれをデータ書き込み／消去手段４へ伝送してＨＤＤ３にデータ書き込みをすると共に、ファイルデータベースとしてメモリ手段８に追加記憶する。
【００１６】
次に、ＨＤＤ３の音楽データを再生する場合の動作を説明する。
ユーザはキー入力手段１０と表示手段１１によって、メモリ手段８に格納されている図４に示すＨＤＤファイルデータリスト（ファイル管理リストＡ）から聴きたい曲を選択する。マイコン９は選択された曲のアドレスを記録媒体読み出し手段５に伝送し、ファイル形式をデジタル信号処理装置６に伝送する。記録媒体読み出し手段５は指定されたアドレスのデータを読み出し、デジタル信号処理装置６に伝送する。デジタル信号処理装置６はマイコン９により指定された形式のデコード形式で演算処理する。
【００１７】
図６はこのときのＨＤＤ再生の機能ブロック図を示すもので、図６において、デジタル信号処理装置６は、圧縮音楽データＤ３がマイコン９の指示により選択的に入力されるロスレスデコード演算処理部６３とＭＰ３デコード演算処理部６４を有し、これらのロスレスデコード演算処理部６３、ＭＰ３デコード演算処理部６４でデコードされた出力を解凍済みデータＤ４としてデジタル／アナログ変換器１２へ送出する。
【００１８】
デジタル信号処理装置６で上述の如くデコードされたデータがデジタル／アナログ変換器１２へ伝送されると、ここでアナログ信号へと変換される。変換されたアナログ信号は増幅器１３で増幅され、スピーカ１４より放音される。
ユーザの録音操作により、録音動作が終了した後、ＨＤＤ３の記録可能領域の残り容量がＣＤ１枚分即ち再生媒体１枚分の容量と再生媒体１枚分を高圧縮率で録音したときに必要な容量を合わせた容量以下になった場合、次の低圧縮録音に備えて、再生媒体１枚分の低圧縮録音領域を確保しなければならないため、すでに録音済みの録音データを消去、もしくは圧縮率の高い方式による再圧縮が必要になる。どのデータを消去、圧縮するかは最終的にはユーザの承認が必要であるが、ユーザの操作負担を軽減するため、消去、圧縮が予想されるデータを自動的にリストアップしておく。
【００１９】
図７はこのときの圧縮優先パラメータ設定処理のフローチャートを示すもので、ユーザは記録データをリストアップする際の優先順位を設定する画面を呼び出し（ステップＳＴ１１）、どういった基準で圧縮しても良いデータを自動的に選ぶのかを設定する（ステップＳＴ１２）。例えば、リスト作成優先順位の例として、（１）録音が古い順、（２）再生回数が少ない順、（３）再生中にスキップ（トラックアップ）した回数が多い順、（４）ファイルのサイズが大きい順等が挙げられる。これらのパラメータをユーザの好みで単独もしくは複数設定する。設定された優先順位はマイコン９がメモリ手段８に書き込む（ステップＳＴ１３）。
【００２０】
また、当面消去、圧縮の予定がないデータに対しては圧縮禁止フラグを設定することもできる（ステップＳＴ１４〜ＳＴ１７）。即ち、ステップＳＴ１４において、圧縮禁止フラグの設定を希望しているかどうかを判別し、希望しなければそのまま終了するが、希望している場合は、ステップＳＴ１５において、圧縮禁止フラグ設定を表示手段１１により表示し、ステップＳＴ１６において、圧縮禁止データ設定の入力を行い、ステップＳＴ１７において、圧縮禁止フラグをメモリ手段８に記憶して、一連の処理を終了する。
【００２１】
図８は自動圧縮の機能ブロック図を示すもので、図８において、デジタル信号処理装置６は、圧縮音楽データＤ３がマイコン９の指示により入力されるロスレスデコード演算処理部６３と、このロスレスデコード演算処理部６３でデコードされて出力される解凍済みデータＤ４を受けて演算処理を行うＭＰ３圧縮演算処理部６２を有し、ＭＰ３圧縮演算処理部６２で演算処理された出力を圧縮済みデータＤ２としてデータ書き込み／消去手段４へ送出する。
【００２２】
この自動圧縮機能においては、ＣＤ１からＨＤＤ３への低圧縮録音処理が終了した段階で、残りの容量を管理しているＨＤＤファイル管理データ作成手段７から、自動圧縮開始フラグを受け取った場合、マイコン９は自動圧縮処理を開始する。ＨＤＤファイル管理データ作成手段７は、ユーザが設定したリスト作成優先順位をメモリ手段８より呼び出して、図４のＨＤＤファイルデータリスト（ファイル管理リストＡ）から該当するデータを検索、録音されずに残っている容量と合わせて再生媒体１枚分の容量と再生媒体１枚分を高圧縮率で録音したときに必要な容量をあわせた容量になるようにデータを選択し、ユーザが設定した優先順位に並べ替えた図９に示すＨＤＤファイル管理リスト（ファイル管理リストＢ）を作成する。
なお、図９のファイル管理リストＢにおいては、圧縮対象ファイル＋残り容量≧再生媒体１枚分の容量と再生媒体１の１枚分を高圧縮率で録音したときに必要な容量の関係にあり、並び替え優先順位は、１位が「圧縮付加」、２位が「更新日時」、３位が「再生履歴」となっている。
【００２３】
マイコン９は作成されたファイル管理リストＢに従って、低圧縮データを記録媒体読み出し手段５を介してＨＤＤ３よりデータを読み取り、デジタル信号処理装置６のロスレスデコード演算処理部６３でデコードする。デコードされた音楽データは同じくＭＰ３圧縮演算処理部６２で演算処理され、ＨＤＤ３にデータ書き込み／消去手段４を介して高圧縮方式で記録される。このとき、マイコン９は、同時に圧縮ファイルが追加された図１０に示すようなファイル管理リストＣをメモリ手段８に記憶する。この自動圧縮処理は、録音モード以外の電源が投入されているすべてのモードの裏処理としておこなわれる。
【００２４】
図１１は領域確保、新規録音処理の機能ブロック図を示すもので、図１１において、ＨＤＤファイル管理データ作成手段７では、ファイル形式、ファイルサイズ等のファイル管理データを作成してこれをデータ書き込み／消去手段４へ伝送すると共に、不要なＨＤＤ３のデータを消去させ、また、ファイル管理データをファイルデータベースとしてメモリ手段８に追加記憶させる。
【００２５】
図１２は、このときの領域確保、新規録音処理のフローチャートを示すもので、ユーザが新たに低圧縮記録領域への記録を望んだ場合、マイコン９は図１０のＨＤＤファイル管理リスト（ファイル管理リストＣ）をメモリ手段８から呼び出し（ステップＳＴ２１）、圧縮済みフラグがついている低圧縮データを消去候補として下記の消去予定データリストを作成して表示手段１１に表示させる（ステップＳＴ２２）。
【表１】
2006196118.tif 000003
低圧縮データ消去候補リストに対するユーザの承認を確認し（ステップＳＴ２３）、低圧縮データ消去候補リストが承認されない場合は、ユーザが消去予定データリストを再編集し（ステップＳＴ２４）、ステップＳＴ２３でユーザの承認が得られれば、リスト上の低圧縮データをＨＤＤ３上から消去し（ステップＳＴ２５）、ファイル管理リストを更新して図１３に示すようなファイル管理リストＤを取得し（ステップＳＴ２６）、ＨＤＤ３の新たに確保された領域に新規の低圧縮データを記録開始する（ステップＳＴ２７）。
【００２６】
以上のように、本実施の形態によれば、ＨＤＤの記録可能領域の残り容量が再生媒体１枚分の容量と再生媒体１枚分を高圧縮率で録音したときに必要な容量をあわせた容量以下になった場合、ユーザがあらかじめ設定した優先順位で再生媒体約１枚分の記録データを自動的にリストアップし、残りの領域に自動的に高圧縮率で再記録しておき、ユーザが更に低圧縮記録を望んだ場合、圧縮済みデータリストのユーザ承認後、低圧縮データを消去して新たな低圧縮録音領域を確保するようにしたので、ユーザを待たすことなく常に再生媒体１枚分の新規低圧縮録音を行うことができ、音楽情報等を記録媒体へ記録する際の操作時間の短縮化が図れる。
【図面の簡単な説明】
【００２７】
【図１】この発明の実施の形態１によるデジタル記録再生装置の全体構成を示すブロック図である。
【図２】この発明の実施の形態１によるデジタル記録再生装置における録音圧縮方式の設定処理を示すフローチャートである。
【図３】この発明の実施の形態１によるデジタル記録再生装置におけるデータ圧縮演算の機能ブロック図である。
【図４】この発明の実施の形態１によるデジタル記録再生装置におけるファイル管理リストＡを示す図である。
【図５】この発明の実施の形態１によるデジタル記録再生装置におけるＨＤＤに対するデータ書き込み、ファイル管理の機能ブロック図である。
【図６】この発明の実施の形態１によるデジタル記録再生装置におけるＨＤＤ再生の機能ブロック図である。
【図７】この発明の実施の形態１によるデジタル記録再生装置における圧縮優先パラメータ設定処理のフローチャートである。
【図８】この発明の実施の形態１によるデジタル記録再生装置における自動圧縮の機能ブロック図である。
【図９】この発明の実施の形態１によるデジタル記録再生装置におけるファイル管理リストＢを示す図である。
【図１０】この発明の実施の形態１によるデジタル記録再生装置におけるファイル管理リストＣを示す図である。
【図１１】この発明の実施の形態１によるデジタル記録再生装置における領域確保、新規録音処理のブロック図である。
【図１２】この発明の実施の形態１によるデジタル記録再生装置における領域確保、新規録音処理のフローチャートである。
【図１３】この発明の実施の形態１によるデジタル記録再生装置におけるファイル管理リストＤを示す図である。
【符号の説明】
【００２８】
１  再生媒体、２  再生媒体読み出し手段、３  記録媒体、４  データ書き込み／消去手段、５  記録媒体読み出し手段、６  デジタル信号処理装置、７  ＨＤＤファイル管理データ作成手段、８    メモリ手段、９  マイコン、１０  キー入力手段、１１  表示手段、１２  デジタル／アナログ変換器、１３  増幅器、１４  スピーカ、６１  ロスレス圧縮演算処理部、６２  ＭＰ３圧縮演算処理部、６３  ロスレスデコード演算処理部、６４  ＭＰ３デコード演算処理部。
【図１】
2006196118.tif 000004
【図２】
2006196118.tif 000005
【図３】
2006196118.tif 000006
【図４】
2006196118.tif 000007
【図５】
2006196118.tif 000008
【図６】
2006196118.tif 000009
【図７】
2006196118.tif 000010
【図８】
2006196118.tif 000011
【図９】
2006196118.tif 000012
【図１０】
2006196118.tif 000013
【図１１】
2006196118.tif 000014
【図１２】
2006196118.tif 000015
【図１３】
2006196118.tif 000016